(57)【要約】【課題】  右目用画像および左目用画像の２枚の画像を用いて立体視画像を表示する立体視画像表示装置において、立体視画像の表示と通常画像の表示とを兼用できるようにする。【解決手段】  右目用画像を表示する右目用画像表示部４０と、右目用画像表示部４０と横並びに配され、左目用画像を表示する左目用画像表示部４１と、右目用画像と左目用画像とを光学的に合成して立体視画像を表示するハーフミラー４２とを設け、ハーフミラー４２を右目用画像表示部４０の表示面４０ａと左目用画像表示部４１の表示面４１ａとの中間位置から表示面４０ａ近傍および／または表示面４１ａ近傍まで移動可能なように、表示面４０ａ近傍と表示面４１ａとの中間付近においてヒンジ４３により回転自在に取り付ける。【選択図】図４
2012099927.tif 000002
【特許請求の範囲】
【請求項１】
右目用画像と左目用画像の２枚の画像を用いた立体視画像および通常画像の両方を表示可能な立体視画像表示装置であって、
前記右目用画像および前記通常画像を表示する右目用画像表示手段と、
該右目用画像表示手段と横並びに配され、前記左目用画像および前記通常画像を表示する左目用画像表示手段と、
前記右目用画像と前記左目用画像とを立体視画像として見えるように光学的に合成するハーフミラーとを備え、
該ハーフミラーが前記右目用画像表示手段の表示面と前記左目用画像表示手段の表示面との中間位置から前記右目用画像表示手段の表示面近傍および／または前記左目用画像表示手段の表示面近傍まで移動可能なように、該ハーフミラーの一端が前記右目用画像表示手段と前記左目用画像表示手段との近接部付近において回転自在に保持されていることを特徴とする立体視画像表示装置。
【請求項２】
前記ハーフミラーを２枚備え、
前記右目用画像表示手段用のハーフミラーは前記右目用画像表示手段の表示面と前記左目用画像表示手段の表示面との中間位置から前記右目用画像表示手段の表示面近傍まで移動可能なように保持され、
前記左目用画像表示手段用のハーフミラーは前記右目用画像表示手段の表示面と前記左目用画像表示手段の表示面との中間位置から前記左目用画像表示手段の表示面近傍まで移動可能なように保持されていることを特徴とする請求項１記載の立体視画像表示装置。
【請求項３】
前記ハーフミラーが前記右目用画像表示手段の表示面近傍および／または前記左目用画像表示手段の表示面近傍にあることを検知するハーフミラー位置検出手段と、
前記ハーフミラーが前記右目用画像表示手段の表示面近傍および／または前記左目用画像表示手段の表示面近傍にある際に、表示面近傍に前記ハーフミラーがある画像表示手段における画像の表示輝度を上げる表示制御手段とを備えたことを特徴とする請求項１または２記載の立体視画像表示装置。
【発明の詳細な説明】
【技術分野】
【０００１】
本発明は、右目用画像および左目用画像の２枚の画像を用いて立体視画像を表示する立体視画像表示装置に関するものである。
【背景技術】
【０００２】
従来、右目用画像および左目用画像の２枚の画像を組み合わせて表示することにより、視差を利用して立体視できることが知られている。このような立体視できる画像（以下、立体視画像またはステレオ画像という）は、同一の被写体を異なる位置から撮影して取得された互いに視差のある複数の画像に基づいて生成される。
【０００３】
そして、このような立体視画像の生成は、デジタルカメラやテレビなどの分野だけでなく、放射線画像撮影の分野においても利用されている。すなわち、被験者に対して互いに異なる方向から放射線を照射し、その被験者を透過した放射線を放射線画像検出器によりそれぞれ検出して互いに視差のある複数の放射線画像を取得し、これらの放射線画像に基づいて立体視画像を生成することが行われている。そして、このように立体視画像を生成することによって奥行感のある放射線画像を観察することができ、より診断に適した放射線画像を観察することができる。（例えば特許文献１参照）
【先行技術文献】
【特許文献】
【０００４】
【特許文献１】特開２０１０−１１０５７１号公報
【特許文献２】特開２００３−００５１３０号公報
【特許文献３】特開平０５−２８５１２９号公報
【発明の概要】
【発明が解決しようとする課題】
【０００５】
ところで、上記のような立体視画像を表示するための立体視画像表示装置として、左右横並びの２つの表示画面とハーフミラーを備え、各表示画面に右目用画像と左目用画像とを各々表示し、ハーフミラーで右目用画像と左目用画像とを光学的に合成して立体視画像を表示する方式のモニターが提案されている。（例えば特許文献２、３参照）
このような方式の立体視画像表示装置における表示画面は、通常画像を表示するためのものと全く同じものとすることができるため、立体視画像の表示と通常画像の表示とを兼用できるようにすることが好ましいが、その場合、通常画像表示時にハーフミラーが表示の妨げとなってしまうという問題がある。
【０００６】
本発明は、上記の事情に鑑み、右目用画像および左目用画像の２枚の画像を用いて立体視画像を表示する立体視画像表示装置において、上記問題を解消したものを提供することを目的とする。
【課題を解決するための手段】
【０００７】
本発明の立体視画像表示装置は、右目用画像と左目用画像の２枚の画像を用いた立体視画像および通常画像の両方を表示可能な立体視画像表示装置であって、右目用画像および通常画像を表示する右目用画像表示手段と、右目用画像表示手段と横並びに配され、左目用画像および通常画像を表示する左目用画像表示手段と、右目用画像と左目用画像とを立体視画像として見えるように光学的に合成するハーフミラーとを備え、ハーフミラーが右目用画像表示手段の表示面と左目用画像表示手段の表示面との中間位置から右目用画像表示手段の表示面近傍および／または左目用画像表示手段の表示面近傍まで移動可能なように、ハーフミラーの一端が右目用画像表示手段と左目用画像表示手段との近接部付近において回転自在に保持されていることを特徴とするものである。
【０００８】
本発明の立体視画像表示装置は、ハーフミラーを１枚のみ備えたものとしてもよいし、ハーフミラーを２枚備え、右目用画像表示手段用のハーフミラーは右目用画像表示手段の表示面と左目用画像表示手段の表示面との中間位置から右目用画像表示手段の表示面近傍まで移動可能なように保持され、左目用画像表示手段用のハーフミラーは右目用画像表示手段の表示面と左目用画像表示手段の表示面との中間位置から左目用画像表示手段の表示面近傍まで移動可能なように保持されたものとしてもよい。
【０００９】
また、ハーフミラーが右目用画像表示手段の表示面近傍および／または左目用画像表示手段の表示面近傍にあることを検知するハーフミラー位置検出手段と、ハーフミラーが右目用画像表示手段の表示面近傍および／または左目用画像表示手段の表示面近傍にある際に、表示面近傍にハーフミラーがある画像表示手段における画像の表示輝度を上げる表示制御手段とを備えたものとすることが好ましい。
【発明の効果】
【００１０】
本発明の立体視画像表示装置によれば、右目用画像と左目用画像の２枚の画像を用いた立体視画像および通常画像の両方を表示可能な立体視画像表示装置において、右目用画像および通常画像を表示する右目用画像表示手段と、右目用画像表示手段と横並びに配され、左目用画像および通常画像を表示する左目用画像表示手段と、右目用画像と左目用画像とを立体視画像として見えるように光学的に合成するハーフミラーとを備え、ハーフミラーが右目用画像表示手段の表示面と左目用画像表示手段の表示面との中間位置から右目用画像表示手段の表示面近傍および／または左目用画像表示手段の表示面近傍まで移動可能なように、ハーフミラーの一端が右目用画像表示手段と左目用画像表示手段との近接部付近において回転自在に保持されたものとしたことにより、ハーフミラーを右目用画像表示手段の表示面近傍および／または左目用画像表示手段の表示面近傍まで移動させた状態では、右目用画像と左目用画像とが光学的に合成されず、ハーフミラーに近接する画像表示手段に表示された画像のみが透過表示されるようになるため、立体視画像の表示と通常画像の表示とを兼用可能とすることができる。
【００１１】
なお、ハーフミラーを１枚のみ備えたものとした場合には、通常画像表示時にハーフミラーに近接する画像表示手段に表示される画像はハーフミラー越しに観察されることになるので、反対側の画像表示手段に表示される画像よりも暗く表示されることになる。そのため、ハーフミラーを２枚備え、右目用画像表示手段用のハーフミラーは右目用画像表示手段の表示面と左目用画像表示手段の表示面との中間位置から右目用画像表示手段の表示面近傍まで移動可能なように保持され、左目用画像表示手段用のハーフミラーは右目用画像表示手段の表示面と左目用画像表示手段の表示面との中間位置から左目用画像表示手段の表示面近傍まで移動可能なように保持されたものとすれば、通常画像表示時に両方の画像表示手段に表示される画像の見え方の状態を略等しくできる。
【００１２】
また、ハーフミラーが右目用画像表示手段の表示面近傍および／または左目用画像表示手段の表示面近傍にあることを検知するハーフミラー位置検出手段と、ハーフミラーが右目用画像表示手段の表示面近傍および／または左目用画像表示手段の表示面近傍にある際に、表示面近傍にハーフミラーがある画像表示手段における画像の表示輝度を上げる表示制御手段とを備えたものとすれば、ハーフミラーによる輝度の低下を補って、見やすい画像を表示することができる。
【図面の簡単な説明】
【００１３】
【図１】本発明の第１の実施の形態の立体視画像表示装置を用いた乳房用立体視画像撮影表示システムの概略構成図
【図２】図１に示す乳房用立体視画像撮影表示システムのアーム部を図１の右方向から見た図
【図３】図１に示す乳房用立体視画像撮影表示システムのコンピュータ内部の概略構成を示すブロック図
【図４】上記立体視画像表示装置の斜視図
【図５】上記立体視画像表示装置の立体視画像表示時の状態を示す上面図
【図６】上記立体視画像表示装置の通常画像表示時の状態を示す上面図
【図７】本発明の第２の実施の形態の立体視画像表示装置の立体視画像表示時の状態を示す上面図
【図８】本発明の第２の実施の形態の立体視画像表示装置の通常画像表示時の状態を示す上面図
【発明を実施するための形態】
【００１４】
以下、図面を参照して本発明の第１の実施の形態の立体視画像表示装置を用いた乳房用立体視画像撮影表示システムについて説明する。まず、本実施の形態の乳房用立体視画像撮影表示システム全体の概略構成について説明する。図１は本実施の形態の立体視画像表示装置を用いた乳房用立体視画像撮影表示システムの概略構成図、図２は図１に示す乳房用立体視画像撮影表示システムのアーム部を図１の右方向から見た図、図３は図１に示す乳房用立体視画像撮影表示システムのコンピュータ内部の概略構成を示すブロック図、図４は上記立体視画像表示装置の斜視図、図５は上記立体視画像表示装置の立体視画像表示時の状態を示す上面図、図６は上記立体視画像表示装置の通常画像表示時の状態を示す上面図である。
【００１５】
本実施形態の乳房用立体視画像撮影表示システム１は、図１に示すように、乳房画像撮影装置１０と、乳房画像撮影装置１０に接続されたコンピュータ８と、コンピュータ８に接続されたモニタ９（立体視画像表示装置）および入力部７とを備えている。
【００１６】
そして、乳房画像撮影装置１０は、図１に示すように、基台１１と、基台１１に対し上下方向（Ｚ方向）に移動可能であり、かつ回転可能な回転軸１２と、回転軸１２により基台１１と連結されたアーム部１３を備えている。なお、図２には、図１の右方向から見たアーム部１３を示している。
【００１７】
アーム部１３はアルファベットのＣの形をしており、その一端には撮影台１４が、その他端には撮影台１４と対向するように放射線照射部１６が取り付けられている。アーム部１３の回転および上下方向の移動は、基台１１に組み込まれたアームコントローラ３１により制御される。
【００１８】
撮影台１４の内部には、フラットパネルディテクタ等の放射線画像検出器１５と、放射線画像検出器１５からの電荷信号の読み出しを制御する検出器コントローラ３３が備えられている。また、撮影台１４の内部には、放射線画像検出器１５から読み出された電荷信号を電圧信号に変換するチャージアンプや、チャージアンプから出力された電圧信号をサンプリングする相関２重サンプリング回路や、電圧信号をデジタル信号に変換するＡＤ変換部などが設けられた回路基板なども設置されている。
【００１９】
また、撮影台１４はアーム部１３に対し回転可能に構成されており、基台１１に対してアーム部１３が回転したときでも、撮影台１４の向きは基台１１に対し固定された向きとすることができる。
【００２０】
放射線画像検出器１５は、放射線画像の記録と読出しを繰り返して行うことができるものであり、放射線の照射を直接受けて電荷を発生する、いわゆる直接型の放射線画像検出器を用いてもよいし、放射線を一旦可視光に変換し、その可視光を電荷信号に変換する、いわゆる間接型の放射線画像検出器を用いるようにしてもよい。また、放射線画像信号の読出方式としては、ＴＦＴ（thin film transistor）スイッチをオン・オフされることによって放射線画像信号が読みだされる、いわゆるＴＦＴ読出方式のものや、読取光を照射することによって放射線画像信号が読み出される、いわゆる光読出方式のものを用いることが望ましいが、これに限らずその他のものを用いるようにしてもよい。
【００２１】
放射線照射部１６の中には放射線源１７と、放射線源コントローラ３２が収納されている。放射線源コントローラ３２は、放射線源１７から放射線を照射するタイミングと、放射線源１７における放射線発生条件（管電流、管電圧、時間等）を制御するものである。
【００２２】
また、アーム部１３の中央部には、撮影台１４の上方に配置されて乳房Ｍを押さえつけて圧迫する圧迫板１８と、その圧迫板１８を支持する支持部２０と、支持部２０を上下方向（Ｚ方向）に移動させる移動機構１９が設けられている。圧迫板１８の位置、圧迫圧は、圧迫板コントローラ３４により制御される。
【００２３】
コンピュータ８は、中央処理装置（ＣＰＵ）および半導体メモリやハードディスクやＳＳＤ等のストレージデバイスなどを備えており、これらのハードウェアによって、図３に示すような制御部８ａ、データ記憶部８ｂおよび画像処理部８ｃが構成されている。
【００２４】
制御部８ａは、各種のコントローラ３１〜３４に対して所定の制御信号を出力し、システム全体の制御を行うものである。具体的な制御方法については後で詳述する。データ記憶部８ｂは、放射線画像検出器１５によって取得された撮影角度毎の放射線画像データ等を記憶するものである。画像処理部８ｃは種々の画像処理を施すためのものである。
【００２５】
入力部７は、例えば、キーボードやマウスなどのポインティングデバイスから構成されたものであり、立体カーソルの移動操作や、撮影条件や操作指示等の入力を受け付けるためのものである。
【００２６】
モニタ９は、右目用画像と左目用画像の２枚の画像を用いた立体視画像および通常画像の両方を表示可能なものであって、図４に示すように、右目用画像および通常画像を表示する右目用画像表示部４０と、左目用画像および通常画像を表示する左目用画像表示部４１と、右目用画像と左目用画像とを立体視画像として見えるように光学的に合成するハーフミラー４２（図中点線表示）とがヒンジ４３により回転自在に連結されており、左目用画像表示部４１にスタンド４４が取り付けられた構造となっている。また、ヒンジ４３内には、ハーフミラー４２が右目用画像表示部４０の表示面４０ａ近傍もしくは左目用画像表示部４１の表示面４１ａ近傍にあることを検知する不図示のセンサが設けられている。また、右目用画像表示部４０および左目用画像表示部４１内には、上記センサによりハーフミラー４２が表示面の近傍にあることが検知された際に、画像の表示輝度を上げる不図示の表示制御手段が設けられている。
【００２７】
右目用画像表示部４０と左目用画像表示部４１における表示光は互いに直交する偏光となるように構成されている。ユーザーは、右目用画像を観察する右目用偏光レンズと左目用画像を観察する左目用偏光レンズを有する偏光メガネを装着し、左目用画像および右目用画像を左右の目でそれぞれ観察することで立体視画像を観察することができる。
【００２８】
このモニタ９において、立体視画像を表示する際は、図５に示すように、右目用画像表示部４０の表示面４０ａと左目用画像表示部４１の表示面４１ａとのなす角度が１８０°未満となるように右目用画像表示部４０を移動させるとともに、ハーフミラー４２を右目用画像表示部４０の表示面４０ａと左目用画像表示部４１の表示面４１ａとの中間に位置するように移動させる。
【００２９】
なお、立体視画像表示時の右目用画像表示部４０の表示面４０ａと左目用画像表示部４１の表示面４１ａとのなす角度は、１８０°未満であれば特に制限はないが、８０°から１２０°程度とするのが好ましく、９０°とするのが最も好ましい。
【００３０】
また、右目用画像表示部４０およびハーフミラー４２の移動は、ユーザーにより手動で行なわせてもよいし、立体視画像表示の指示入力を受け付けるスイッチ等の入力部を設け、この入力部からの指示に基づいて自動的に移動させるようにしてもよいし、モニタ９に入力される放射線画像信号もしくは放射線画像信号の付帯情報等に基づいて立体視画像用の信号が入力されたことを検知した際に、自動的に移動させるようにしてもよい。
【００３１】
モニタ９に表示される立体視画像の観察は、図５中右側からでも左側からでもどちらでも行なえるが、ここでは右側から観察するものとして、立体視画像表示の仕組みを説明する。図５に示すように、モニタ９の右側から立体視画像を観察する場合、右目用画像表示部４０の表示面４０ａに表示された右目用画像はハーフミラー４２で反射し、左目用画像表示部４１の表示面４１ａに表示された左目用画像はハーフミラー４２を透過し、その結果、右目用画像と左目用画像とが光学的に合成され立体視画像として表示される。なお、モニタ９の左側から立体視画像を観察する場合、反射する画像と透過する画像が逆になるだけで、右側から立体視画像を観察する場合と同様の立体視画像が表示される。
【００３２】
このモニタ９において、通常画像を表示する際は、図６に示すように、ハーフミラー４２を右目用画像表示部４０の表示面４０ａ近傍（もしくは左目用画像表示部４１の表示面４１ａ近傍）まで移動させる。なお、このときの右目用画像表示部４０の表示面４０ａと左目用画像表示部４１の表示面４１ａとのなす角度には特に制限はない。
【００３３】
なお、通常画像とは、右目用画像および左目用画像以外の二次元画像だけでなく、右目用画像および左目用画像を立体視画像としてではなく個別に二次元画像として観察する場合も含む。
【００３４】
また、ヒンジ４３内の不図示のセンサによりハーフミラー４２が右目用画像表示部４０の表示面４０ａ近傍にあることが検知された際は、右目用画像表示部４０内の不図示の表示制御手段により、表示面４０ａに表示する画像の表示輝度を上げる処理を行う。
【００３５】
基本的にハーフミラー４２を透過すると輝度が約半分となるため、表示輝度を２倍程度上げればハーフミラー４２を透過させない場合と同程度の輝度とすることができるが、この値に限定するものではなく、どのような態様としてもよい。
【００３６】
また、ハーフミラー４２の移動は、ユーザーにより手動で行なわせてもよいし、通常画像表示の指示入力を受け付けるスイッチ等の入力部を設け、この入力部からの指示に基づいて自動的に移動させるようにしてもよいし、モニタ９に入力される放射線画像信号もしくは放射線画像信号の付帯情報等に基づいて通常画像用の信号が入力されたことを検知した際に、自動的に移動させるようにしてもよい。
【００３７】
次に、本実施形態の乳房用立体視画像撮影表示システムの作用について説明する。
【００３８】
まず、撮影の際の動作について説明する。
【００３９】
最初に撮影台１４の上に乳房Ｍが設置され、圧迫板１８により乳房Ｍが所定の圧力によって圧迫される。
【００４０】
次に、入力部７おいて、２つの異なる撮影方向がなす角度（以下、輻輳角θという）および輻輳角θを構成する撮影角度θ'の組み合わせを含む種々の撮影条件が入力された後、撮影開始の指示が入力される。
【００４１】
そして、入力部７において撮影開始の指示があると、乳房Ｍの立体視画像の撮影が行われる。具体的には、まず、制御部８ａが、輻輳角θと輻輳角θを構成する撮影角度θ'の情報をアームコントローラ３１に出力する。なお、本実施形態においては、このときの輻輳角θの情報としてθ＝４°、輻輳角θを構成する撮影角度θ’の組み合わせとしてθ’＝±２°の組み合わせが設定されているものとするが、これに限られるものではなく、撮影者は入力部７において任意の輻輳角θを設定可能である。
【００４２】
アームコントローラ３１において、制御部８ａから出力された撮影角度θ’の情報が受け付けられ、アームコントローラ３１は、この撮影角度θ’の情報に基づいて、まず右目用の放射線画像を撮影するためにアーム部１３を検出面１５ａに垂直な方向に対して＋２°傾く撮影角度θ'となる制御信号を出力する。
【００４３】
アームコントローラ３１から出力された制御信号に応じてアーム部１３が＋２°の位置まで回転する。続いて制御部８ａは、放射線源コントローラ３２および検出器コントローラ３３に対して放射線の照射と放射線画像信号の読出しを行うよう制御信号を出力する。この制御信号に応じて、放射線源１７から放射線が照射され、乳房Ｍを撮影角度θ'が＋２°の方向から撮影した放射線画像が放射線検出器１５によって検出され、検出器コントローラ３３によって放射線画像信号が読み出され、コンピュータ８のデータ記憶部８ｂに記憶される。
【００４４】
続いて、まず左目用の放射線画像を撮影するためにアーム部１３を検出面１５ａに垂直な方向に対して−２°傾く撮影角度θ'となる制御信号を出力する。
【００４５】
アームコントローラ３１から出力された制御信号に応じてアーム部１３が−２°の位置まで回転する。続いて制御部８ａは、放射線源コントローラ３２および検出器コントローラ３３に対して放射線の照射と放射線画像信号の読出しを行うよう制御信号を出力する。この制御信号に応じて、放射線源１７から放射線が照射され、乳房Ｍを撮影角度θ'が−２°の方向から撮影した放射線画像が放射線検出器１５によって検出され、検出器コントローラ３３によって放射線画像信号が読み出され、コンピュータ８のデータ記憶部８ｂに記憶される。
【００４６】
次に、立体視画像表示の際の動作について説明する。
【００４７】
まず、コンピュータ８のデータ記憶部８ｂに記憶された右目用放射線画像および左目用放射線画像の２つの放射線画像信号がデータ記憶部８ｂから読み出された後、モニタ９の右目用画像表示部４０の表示面４０ａおよび左目用画像表示部４１の表示面４１ａに各画像が表示される。
【００４８】
この状態で、図５に示すように、右目用画像表示部４０の表示面４０ａと左目用画像表示部４１の表示面４１ａとのなす角度が１８０°未満となるように右目用画像表示部４０を移動させるとともに、ハーフミラー４２を右目用画像表示部４０の表示面４０ａと左目用画像表示部４１の表示面４１ａとの中間に位置するように移動させれば、立体視画像を観察させることができる。
【００４９】
また、図６に示すように、ハーフミラー４２を右目用画像表示部４０の表示面４０ａ近傍（もしくは左目用画像表示部４１の表示面４１ａ近傍）まで移動させれば、右目用画像および左目用画像を立体視画像としてではなく個別に二次元画像（通常画像）として観察させることができる。
【００５０】
なお、通常画像表示時は、右目用画像および左目用画像以外の画像を表示してもよい。
【００５１】
次に、本発明の第２の実施の形態の立体視画像表示装置について説明する。図７は本実施の形態の立体視画像表示装置の立体視画像表示時の状態を示す上面図、図８は本実施の形態の立体視画像表示装置の通常画像表示時の状態を示す上面図である。なおこの図７、８において、図４中の要素と同等の要素には同番号を付してあり、それらについての説明は特に必要の無い限り省略する。
【００５２】
本実施の形態のモニタ９´は、右目用画像表示部用のハーフミラー４５および左目用画像表示部用のハーフミラー４６の２枚のハーフミラーを設けた点が、第１の実施の形態と比較して異なるものである。
【００５３】
このモニタ９´において、立体視画像を表示する際は、図７に示すように、右目用画像表示部４０の表示面４０ａと左目用画像表示部４１の表示面４１ａとのなす角度が１８０°未満となるように右目用画像表示部４０を移動させるとともに、ハーフミラー４５および４６を右目用画像表示部４０の表示面４０ａと左目用画像表示部４１の表示面４１ａとの中間に位置するように移動させる。
【００５４】
また、通常画像を表示する際は、図８に示すように、ハーフミラー４５を右目用画像表示部４０の表示面４０ａ近傍に、ハーフミラー４６を左目用画像表示部４１の表示面４１ａ近傍に移動させる。
【００５５】
このような態様とすることにより、通常画像表示時の画像表示の状態を左右で同じにできるため、ユーザーにとって違和感の少ないモニタとすることができる。
【００５６】
以上、本発明の好ましい実施の形態について説明したが、本発明は上記実施の形態に限定されるものではない。
【００５７】
例えば、右目用画像表示部４０と左目用画像表示部４１の配置については、上記実施の形態では、右目用画像表示部４０を右側、左目用画像表示部４１を左側に配しているが、右目用画像表示部４０を左側、左目用画像表示部４１を右側に配しても、全く同じように立体視画像を表示させることができる。
【００５８】
また、右目用画像表示部４０と左目用画像表示部４１の横並びの方向については、左右方向に並んでいる例を示したが、上下方向とする等、どのような態様としてもよい。
【００５９】
また、本発明の立体視画像表示装置の一実施の形態として、乳房用立体視画像撮影表示システムと組み合わせた例を示したが、本発明は乳房用立体視画像撮影表示システムに限定されるものではなく、どのようなシステムとも組み合わせることができる。
【００６０】
また、上記以外にも、本発明の要旨を逸脱しない範囲において、各種の改良や変形を行なってもよいのは勿論である。
【符号の説明】
【００６１】
１     乳房用立体視画像撮影表示システム
７     入力部
８     コンピュータ
８ａ   制御部
８ｂ   データ記憶部
８ｃ   画像処理部
９     モニタ
１０   乳房画像撮影装置
１１   基台
１２   回転軸
１３   アーム部
１４   撮影台
１５   放射線画像検出器
１６   放射線照射部
１７   放射線源
１８   圧迫板
３１   アームコントローラ
３２   放射線源コントローラ
３３   検出器コントローラ
３４   圧迫板コントローラ
４０    右目用画像表示部
４１    左目用画像表示部
４２    ハーフミラー
４３    ヒンジ
４４    スタンド
４５    ハーフミラー
４６    ハーフミラー
【図１】
2012099927.tif 000003
【図２】
2012099927.tif 000004
【図３】
2012099927.tif 000005
【図４】
2012099927.tif 000006
【図５】
2012099927.tif 000007
【図６】
2012099927.tif 000008
【図７】
2012099927.tif 000009
【図８】
2012099927.tif 000010